(57)【要約】      （修正有）【課題】流体の充填機側と流体が充填される容器とを連通する流通経路に配置される逆止弁付き継ぎ手であって、流体の充填を可能にし、容器内の圧力を抜く場合には、手動でその圧力を抜くことができる逆止弁付き継ぎ手を提供する。【解決手段】本体内に貫通する流路３５を形成し、該本体を流路方向の前後に２分割し、その一方の分割体１７Ａに、その流路中においてプッシュロッド２８ａを設け、他方の分割体１８Ａ側にバルブシート２３と、該バルブシート２３部に接離して流路３５を開閉する逆止弁３９を設け、前記一方の分割体１７Ａを前記他方の分割体１８Ａに対して前後方向に移動可能に設け、該一方の分割体１７Ａを他方の分割体１８Ａ側へ移動することにより前記プッシュロッド２８ａが前記逆止弁３９を押し開くようにした。【選択図】図１２
2011089643.tif 000002
【特許請求の範囲】
【請求項１】
本体内に貫通する流路を形成し、該本体を流路方向の前後に２分割し、その一方の分割体に、その流路中においてプッシュロッドを設け、他方の分割体側にバルブシートと、該バルブシート部に接離して流路を開閉する逆止弁を設け、前記一方の分割体を前記他方の分割体に対して前後方向に移動可能に設け、該一方の分割体を他方の分割体側へ移動することにより前記プッシュロッドが前記逆止弁を押し開くようにしたことを特徴とする逆止弁付き継ぎ手。
【請求項２】
前記逆止弁とは別の逆止弁を、前記一方の分割体の流路における外部との開口部に設け、該開口部側に接続される部材により前記別の逆止弁を開くようにし、該別の逆止弁に前記プッシュロッドを備え、該別の逆止弁の開作動状態において一方の分割体を他方の分割体側へ移動することにより前記プッシュロッドが前記他方の分割体の逆止弁を押し開くようにした請求項１記載の逆止弁付き継ぎ手。
【請求項３】
前記他方の分割体の逆止弁を、スプリングにより常時前記バルブシート側へ付勢し、前記一方の分割体から他方の分割体へ流れる流体圧によりバルブシートから離間するように形成した請求項１又は２記載の逆止弁付き継ぎ手。
【請求項４】
前記一方の分割体の外部にグリップを設け、該グリップにより一方の分割体を前後方向に移動するようにした請求項１乃至３のいずれかに記載の逆止弁付き継ぎ手。
【請求項５】
前記逆止弁の閉状態における一方の分割体の移動位置を保持する位置保持手段を設けた請求項１乃至４のいずれかに記載の逆止弁付き継ぎ手。
【請求項６】
流路が形成された第１分割体と流路が形成された第２分割体とが流路方向に摺動可能に接続されることにより１つの流路が形成され、該流路に設けられた逆止弁とバルブシートとの接離により前記流路を流れる流体の移動を制限可能な逆止弁付き接ぎ手において、
前記逆止弁とバルブシートは、前記第１分割体と第２分割体とが接続された状態で該第１分割体と第２分割体とを流路方向へ摺動させる際に、該第１分割体と第２分割体とを所定の相対位置まで摺動させるときには前記逆止弁が前記バルブシートと接触した状態で該逆止弁と前記第１分割体との相対位置が一定となるように構成されると共に該第１分割体と第２分割体とを前記所定の相対位置から摺動させるときには前記逆止弁が前記バルブシートと離れた状態で該逆止弁と前記第２分割体との相対位置が一定となるように構成され、
前記逆止弁は、前記第１分割体と第２分割体とが接続された状態で前記逆止弁と前記バルブシートとが接触しているときには、前記流路内を流れる流体の前記逆止弁にかかる圧力差によって前記逆止弁と前記バルブシートとが離間するように構成されていることを特徴とする、
逆止弁付き継ぎ手。
【発明の詳細な説明】
【技術分野】
【０００１】
本発明は逆止弁付き継ぎ手に関するもので、より詳しくは逆止弁を手動で開放することができる逆止弁付き継ぎ手に関する。
【背景技術】
【０００２】
従来、ＬＰＧを燃料とする自動車に搭載するＬＰＧ用容器へのＬＰＧの充填装置として図１及び図２に示すように、充填される側の容器１にＬＰＧ充填パイプ２を設け、該パイプ２に、容器外からハンドル３により手動で開閉する容器側充填バルブ４を設け、更に、充填パイプ２における前記充填バルブ４より上流側（ＬＰＧの供給側）の容器外に位置してＬＰＧ充填口部５を設け、容器１内の下流側終端に位置して過充填防止装置６を設けたＬＰＧ充填装置が知られている。
【０００３】
この装置においては、容器１内にＬＰＧ燃料を充填する際に、先ずＬＰＧ充填機側の供給ホース（図示せず）を前記ＬＰＧ充填口部５に接続し、その後充填バルブ４をハンドル３により手動で開いて、ＬＰＧ充填機側に設けられた貯留槽内のＬＰＧを、供給ホースを通じてＬＰＧ充填口部５からパイプ２内に導入し、過充填防止装置６を通じて容器１内に充填するようになっている。
【０００４】
このような充填装置においては、ＬＰＧの充填後に、供給ホースをＬＰＧ充填口部５から外した際に充填口部５を自動的に閉弁する逆止弁を備えた逆止弁付き継ぎ手を充填口部５に設けることが考えられる。
【０００５】
また、前記の手動による充填バルブ４の閉め忘れなどによるガス漏れを防止する上から充填後は自動的に閉弁する逆止弁を設けることが考えられる。
【０００６】
このような逆止弁付き継ぎ手として、特許文献１〜４に記載された逆止弁付き継ぎ手を使用することが考えられる。
【先行技術文献】
【特許文献】
【０００７】
【特許文献１】特開平１０−１３２１１０号公報
【特許文献２】特開平１１−２０１３５８号公報
【特許文献３】特開２００１−１８２８５２号公報
【特許文献４】特許第３３６９５２３号公報
【発明の概要】
【発明が解決しようとする課題】
【０００８】
ところで、前記のようなＬＰＧを貯留する自動車側の容器１においては、ＬＰＧの充填作業以外のときに、容器１内の圧力を調整するために容器１内のガスを抜く、ガス抜きを行う必要がある。
【０００９】
しかし、ＬＰＧの充填経路中に前記従来の逆止弁付き継ぎ手を用いた場合には、ＬＰＧの充填作業以外のときに前記の充填バルブ４をハンドル３により手動で開いても、内蔵したスプリングの付勢力により逆止弁が閉作動し、ガス抜きができない問題がある。
【００１０】
そこで本発明は、加圧流体の充填時にはその流体圧により開弁して充填が可能で、流体充填以外のときには閉弁し、圧抜き時には手動で開弁できる逆止弁を備えた逆止弁付き継ぎ手を提供することを目的とするものである。
【課題を解決するための手段】
【００１１】
本発明は、逆止弁付き継ぎ手の本体内に、該本体を貫通する流路を形成し、該流路に、上流側から下流側への流体の流れのみを許容する逆止弁を設けるものにおいて、必要により下流側から上流側に向かって流体を流す場合には、前記の逆止弁を本体の外部より手動で強制的に開くことができる開弁手段を設けて、例えば加圧流体を容器へ充填した後に容器内の圧力を手動操作で抜くことができる構成にしたことを主要な特徴とする。
【００１２】
そして、上記目的を達成するために、請求項１記載の発明は、本体内に貫通する流路を形成し、該本体を流路方向の前後に２分割し、その一方の分割体に、その流路中においてプッシュロッドを設け、他方の分割体側にバルブシートと、該バルブシート部に接離して流路を開閉する逆止弁を設け、前記一方の分割体を前記他方の分割体に対して前後方向に移動可能に設け、該一方の分割体を他方の分割体側へ移動することにより前記プッシュロッドが前記逆止弁を押し開くようにしたことを特徴とするものである。
【００１３】
本発明における逆止弁付き継ぎ手を、例えば流体充填機と流体が充填される容器とを連通する流通経路中に設置するとともに、その逆止弁を、流体充填時に、その充填される流体圧力によって開くようにして設ける。これにより、充填機側から容器内への流体の充填が可能になる。また、充填後は逆止弁が閉弁する。また、充填後に、容器内の流体圧を抜く場合には、一方の分割体を手動で逆止弁側へ移動することによりプッシュロッドによって逆止弁を開作動することにより、流通経路を開放して容器内の圧力を外部へ放出し圧抜きを行うことができる。
【００１４】
請求項２記載の発明は、前記請求項１記載の発明において、前記逆止弁とは別の逆止弁を、前記一方の分割体の流路における外部との開口部に設け、該開口部側に接続される部材により前記別の逆止弁を開くようにし、該別の逆止弁に前記プッシュロッドを備え、該別の逆止弁の開作動状態において一方の分割体を他方の分割体側へ移動することにより前記プッシュロッドが前記他方の分割体の逆止弁を押し開くようにしたものである。
【００１５】
本発明においては、逆止弁付き継ぎ手をカップリング式に形成した場合に、前記請求項１と同様の作用、効果を発揮することができる。
【００１６】
請求項３記載の発明は、前記請求項１又は２記載の発明において、前記他方の分割体の逆止弁を、スプリングにより常時前記バルブシート側へ付勢し、前記一方の分割体から他方の分割体へ流れる流体圧によりバルブシートから離間するように形成したものである。
【００１７】
本発明においても前記と同様の作用、効果を発揮することができる。
請求項４記載の発明は、前記請求項１乃至３のいずれかに記載の発明において、前記一方の分割体の外部にグリップを設け、該グリップにより一方の分割体を前後方向に移動するようにしたものである。
【００１８】
本発明においては、グリップを本体の外部に露出して設け、該グリップを手動で移動して一方の分割体を移動することができる。したがって、該グリップを手動しやすい形状にして手動による逆止弁の開作動を容易にすることができる。
【００１９】
請求項５記載の発明は、前記請求項１乃至４のいずれかに記載の発明において、前記逆止弁の閉状態における一方の分割体の移動位置を保持する位置保持手段を設けたものである。
【００２０】
本発明においては、位置保持手段により逆止弁の閉位置を保持でき、逆止弁を手動で開閉した後において、その逆止弁の閉位置を手で保持し続ける必要がない。
【００２１】
請求項６記載の発明は、流路が形成された第１分割体と流路が形成された第２分割体とが流路方向に摺動可能に接続されることにより１つの流路が形成され、該流路に設けられた逆止弁とバルブシートとの接離により前記流路を流れる流体の移動を制限可能な逆止弁付き接ぎ手において、
前記逆止弁とバルブシートは、前記第１分割体と第２分割体とが接続された状態で該第１分割体と第２分割体とを流路方向へ摺動させる際に、該第１分割体と第２分割体とを所定の相対位置まで摺動させるときには前記逆止弁が前記バルブシートと接触した状態で該逆止弁と前記第１分割体との相対位置が一定となるように構成されると共に該第１分割体と第２分割体とを前記所定の相対位置から摺動させるときには前記逆止弁が前記バルブシートと離れた状態で該逆止弁と前記第２分割体との相対位置が一定となるように構成され、
前記逆止弁は、前記第１分割体と第２分割体とが接続された状態で前記逆止弁と前記バルブシートとが接触しているときには、前記流路内を流れる流体の前記逆止弁にかかる圧力差によって前記逆止弁と前記バルブシートとが離間するように構成されていることを特徴とする、ものである。
【００２２】
本発明における逆止弁付き継ぎ手を、例えば、流体充填機と流体が充填される容器とを連通する流通経路中に設置すれば、第１分割体と第２分割体とを摺動させて、逆止弁とバルブシートを接触した状態とすることにより、充填機側から容器内への流体の充填が可能となるとともに、充填後は逆止弁が閉弁して逆流を防止できる。また、第１分割体と第２分割体とを摺動させて、逆止弁とバルブシートを離れた状態とすることにより、流通経路を開放して容器内の圧力を外部へ放出し圧抜きを行うことができる。
【発明の効果】
【００２３】
本発明の逆止弁付き継ぎ手を、流体の充填機側と流体が充填される容器とを連通する流通経路の継ぎ手として使用することにより、流体の充填時には逆止弁を流体圧によって開弁して流体の充填が可能となり、流体の充填後は、逆止弁が閉弁し、また、流体の充填後において、容器内の圧力を抜く場合には、逆止弁付き継ぎ手に設けられた開弁手段により手動で逆止弁を開いて圧抜きを行うことができる。
【図面の簡単な説明】
【００２４】
【図１】本発明の逆止弁付き継ぎ手を適用する例としてのＬＰＧ容器を示す断面図。
【図２】図１の右側面図。
【図３】本発明の第１実施例を示すもので、容器側充填バルブと逆止弁付き継ぎ手と充填機側のカップリングの３部品を示す断面図。
【図４】図３における逆止弁付き継ぎ手の拡大断面図。
【図５】図３の３部品の連結状態において、加圧流体の充填時を示す断面図。
【図６】図５における平面図。
【図７】図３の３部品の連結状態において、流体充填後の閉弁状態を示す断面図。
【図８】図３の充填機側カップリングを開放用カップリングに替えて連結した状態において、逆止弁の手動開放状態を示す断面図。
【図９】図８における平面図。
【図１０】第１及び第２実施例における流体経路を示す図。
【図１１】本発明の第２実施例を示すもので、容器側充填バルブと逆止弁付き継ぎ手と充填機側カップリングの３部品を示す断面図。
【図１２】図１１における逆止弁付き継ぎ手の拡大断面図。
【図１３】図１１の３部品の連結状態において、加圧流体の充填時を示す断面図。
【図１４】図１３におけるストッパー部を示す断面図。
【図１５】図１１の３部品の連結状態において、流体充填後の閉弁状態を示す断面図。
【図１６】図１１の充填機側カップリングを開放用カップリングに替えて連結した状態において、逆止弁の手動開放状態を示す断面図。
【図１７】図１６において外されたストッパーを示す図。
【図１８】本発明の第３実施例を示すもので、容器側充填バルブと逆止弁付き継ぎ手と充填ホースの３部品を示す断面図。
【図１９】図１８における逆止弁付き継ぎ手の拡大断面図。
【図２０】図１８の３部品の連結状態において、加圧流体の充填時を示す断面図。
【図２１】図２０における平面図。
【図２２】図１８の３部品の連結状態において、流体充填後の閉弁状態を示す断面図。
【図２３】図１８の３部品の連結状態において、逆止弁の手動開放状態を示す断面図。
【図２４】図２３における平面図。
【図２５】第３及び第４実施例における流体経路を示す図。
【図２６】本発明の第４実施例を示すもので、容器側充填バルブと逆止弁付き継ぎ手と充填ホースの３部品を示す断面図。
【図２７】図２６における逆止弁付き継ぎ手の拡大断面図。
【図２８】図２６の３部品の連結状態において、加圧流体の充填時を示す断面図。
【図２９】図２８におけるストッパー部を示す図。
【図３０】図２６の３部品の連結状態において、流体充填後の閉弁状態を示す断面図。
【図３１】図２６の３部品の連結状態において、逆止弁の手動開放状態を示す断面図。
【図３２】図３１において外されたストッパーを示す図。
【発明を実施するための形態】
【００２５】
本発明を実施するための形態を図に示す実施例に基づいて説明する。
本発明の逆止弁付き継ぎ手は、例えば前記図１及び図２に示すＬＰＧが充填される側の容器１のＬＰＧ充填口部５に装着されるものである。
【実施例１】
【００２６】
図３乃至図９は第１実施例で、カップリング式で、かつ、プル式の逆止弁付き継ぎ手を示す。
【００２７】
図３において、４は前記図１に示す容器１側の充填バルブで、導入口１１と前記容器１における充填パイプ２に接続する導出口１２を有し、これらの間の流路に弁体１３とシート１４が設けられ、手動用のハンドル３を正逆回転することにより弁体１３をシート１４に接離し、流路を開閉するようになっている。
【００２８】
本発明の逆止弁付き継ぎ手１６は、その本体が、流路方向の前後に２分割され、その一方の分割体である上流側本体（ニップル）１７と他方の分割体である下流側本体（アダプタ）１８を摺動可能に嵌合して形成され、その上流側本体１７は、接続具である充填機側カップリング１５に接続され、下流側本体１８は、その雄ねじ１９を容器側充填バルブ４における導入口１１に刻設した雌ねじ２０に螺着して容器側充填バルブ４に接続されるようになっている。
【００２９】
この逆止弁付き継ぎ手１６について図３及び図４により詳述する。
一方の分割体である上流側本体１７は円筒状に形成され、その体内に流路方向である前後方向（軸方向）に貫通した流路２１が形成されている。該流路２１の上流側である外部との開口部にはテーパ状に縮径した第１バルブシート２２が形成され、下流側にはバルブシート形成部材２３ａが嵌合固設され、該バルブシート形成部材２３ａにより第２バルブシート２３が形成されている。更に第１バルブシート２２と第２バルブシート２３との間の流路２１内には第１バルブガイド２４が固設されており、該第１バルブガイド２４の中心部には軸方向に貫通するガイド孔２５が形成されている。更に第１バルブガイド２４の外周にはフィン２６が形成され、該フィン２６の外端面で第１バルブガイド２４を上流側本体１７に固着し、フィン２６の相互間の空隙で流体が流路２１内を流通するようになっている。
【００３０】
前記流路２１内には第１逆止弁２７が前記第１バルブシート２２に接離可能なように前後方向に移動可能に設けられている。該第１逆止弁２７は、前記第１バルブガイド２４のガイド孔２５に摺動可能に挿通したバルブステム２８と、該バルブステム２８に嵌装したパッキン２９と、該パッキン２９を保持するカラー３０とからなり、パッキン２９が第１バルブシート２２に接離するようになっている。更に、前記カラー３０と第１バルブガイド２４間にスプリング３１が介在されており、該スプリング３１の付勢力によりパッキン２９を常時第１バルブシート２２側へ付勢している。
【００３１】
上流側本体１７の後側（流体の充填時における流体の流れ方向の下流側を後側とする）には後方へ突出する環状の第１嵌合部３２が形成され、下流側本体１８の前側には前方へ突出する環状の第２嵌合部３３が形成され、第１嵌合部３２が第２嵌合部３３の外周において前後方向（軸方向）及び周方向に摺動可能に嵌合されている。すなわち、上流側本体１７を回転することなく前後方向へ移動できるようになっている。両嵌合部３２，３３との嵌合面にはシール用のＯリング３４が設けられ、両嵌合部３２，３３が相対的に摺動してもシール性が保持されるようになっている。
【００３２】
前記下流側本体１８は円筒状に形成され、その体内に前後方向に貫通した流路３５が形成されている。該流路３５の上流側寄りには第２バルブガイド３６が固設されており、該第２バルブガイド３６の中心部には軸方向に貫通するガイド孔３７が形成されている。更に、第２バルブガイド３６の外周にはフィン３８が形成され、該フィン３８の外端面で第２バルブガイド３６を下流側本体１８に固着し、フィン３８の相互間の空間で流体が流路３５内を流通するようになっている。
【００３３】
前記流路３５内には第２逆止弁３９が、前記第２バルブシート２３に接離可能なように前後方向に移動可能に設けられている。該第２逆止弁３９は、前記第２バルブガイド３６のガイド孔３７に摺動可能に挿通したバルブステム４０と、該バルブステム４０に嵌装したパッキン４１と、該パッキン４１を保持するカラー４２とからなり、パッキン４１が第２バルブシート２３に接離するようになっている。更に、前記カラー４２と第２バルブガイド３６間にスプリング４３が介在されており、該スプリング４３の付勢力により第２逆止弁３９、すなわち、パッキン４１を常時第２バルブシート２３側へ付勢している。前記バルブステム４０の後端は第２バルブガイド３６から後方へ突出しており、該突出部にＣリングなどからなる移動量規制手段４４が固設されており、該移動量規制手段４４により、第２逆止弁３９の閉方向の移動量を規制している。該移動量規制手段４４は、第２逆止弁３９の閉弁状態において、第２バルブガイド３６から後方へ所定量離間して設けられている。
【００３４】
前記上流側本体１７における第１嵌合部３２の外周には環状のグリップ４５が螺着にて固設され、上流側本体１７とグリップ４５が一体化されている。該グリップ４５の後部は前記下流側本体１８の外周に、前後方向及び周方向に摺動可能に嵌合されている。該グリップ４５の後部の内周には環状の突起４６が形成され、下流側本体１８の前部外周には環状の突起４７が形成され、該両突起４６，４７間にスプリング４８が介在されており、該スプリング４８の付勢力によってグリップ４５を常時後方（図４において左方）へ付勢している。下流側本体１８の外周には、前記突起４６が当接する止輪４９が嵌着されており、該止輪４９によってグリップ４５の後方への抜け外れを阻止するとともにシール機能を有している。
【００３５】
下流側本体１８の後部側にはストッパー５０が固設されており、該ストッパー５０の前側には図６及び図９に示すように周方向に屈曲したフック５１が形成されている。また、前記グリップ４５の後部には、前記フック５１が嵌合するＬ字状の係止穴５２が形成されている。該係止穴５２は、フック５１の周方向の幅より大きい幅の入口穴５２ａと、該入口穴５２ａの奥部においてフック５１が係合する周方向の穴５２ｂとからなり、図６に示すようにフック５１を穴５２ｂに係合することによりグリップ４５の前方（図において右方）への移動を阻止して第２逆止弁３９の閉状態の位置を保持し、この状態からグリップ４５を、フック５１が指向する周方向に回転してその入口穴５２ａをフック５１の位置に合致させることにより、グリップ４５が前方（図において右方）へ図９に示すように移動できるようになっている。これらにより位置保持手段Ｓを形成している。
【００３６】
また、本実施例では上流側本体１７とグリップ４５により第２逆止弁３９の開弁手段を構成しているが、グリップ４５を設けることなく、上流側本体１７自体を手動で移動できるようにし、かつ、上流側本体１７をスプリングで常時図４の左方へ付勢して、上流側本体１７のみで開弁手段を構成してもよい。
【００３７】
次に図３に示す充填機側カップリング１５について説明する。
充填機側カップリング１５は図１０に示すように、流体の貯留槽５５側の流体充填機５６、例えばＬＰＧ充填機に接続された配管５７に設けられている。図１０における流体充填機５６において、５８はポンプ、５９はディスペンサー、６０は調整器を示す。図１０において、６１は充填機側手動バルブを示す。
【００３８】
充填機側カップリング１５における円筒状の本体６２の下流側端部には前記逆止弁付き継ぎ手１６の上流側本体１７の接続部５４に嵌合する環状の嵌合部６３が形成されている。該嵌合部６３にはボール６４が設けられ、嵌合部６３を接続部５４に嵌合した場合に、ボール６４が接続部５４の外周に形成した係合凹部６５に嵌合係止するようになっている。前記嵌合部６３の外周にはグリップ６６が摺動可能に備えられているとともにスプリング６７により常時後方（左方）へ付勢されており、グリップ６６を図の位置より前方（右方）へ移動することによりボール６４の外方への移動を許容し、図の位置に戻すことによりボール６４の内方への突出状態を保持するようになっている。
【００３９】
更に、本体６２内の流路６８部にはバルブシート６９が形成され、該バルブシート６９の上流側に位置してバルブガイド７０が固設されている。該バルブガイド７０の中心部には軸方向に貫通するガイド孔７１が形成されている。バルブガイド７０の外周にはフィン７２が形成され、該フィン７２の外端面でバルブガイド７０を本体６２に固着し、フィン７２の相互間の空間で流体が流路６８内を流通するようになっている。
【００４０】
前記流路６８内には逆止弁７３が、前記バルブシート６９に接離可能なように軸方向に移動可能に設けられている。該逆止弁７３は、前記バルブガイド７０のガイド孔７１に摺動可能に挿通したバルブステム７４と、該バルブステム７４に嵌装したパッキン７５と、該パッキン７５を保持するカラー７６とからなり、パッキン７５がバルブシート６９に接離するようになっている。更に、前記カラー７６とバルブガイド７０間にスプリング７７が介在されており、該スプリング７７の付勢力により逆止弁７３、すなわち、パッキン７５を常時バルブシート６９側へ付勢している。
【００４１】
前記バルブステム７４の後側は前記バルブシート６９よりも後方へ突出しており、該突出部が前記逆止弁付き継ぎ手１６における第１逆止弁２７のバルブステム２８を押して第１逆止弁２７を開弁するプッシュロッド７４ａとなっている。
【００４２】
前記本体６２における嵌合部６３の内面にはシール用のＯリング７８が設けられている。
【００４３】
次に、流体の充填操作、手動圧抜き操作について説明する。
図３に示す容器側充填バルブ４は、その導出口１２を図１に示す容器１の充填パイプ２に接続して容器１に備えられ、また、逆止弁付き継ぎ手１６は、その雄ねじ１９を容器側充填バルブ４の雌ねじ２０に螺合して容器側充填バルブ４の導入口１１に常備されている。
【００４４】
この状態で、ＬＰＧなどの加圧流体を容器１内に充填する時には、容器側充填バルブ４を、そのハンドル３を手動で回転して開状態にし、充填機側カップリング１５を、逆止弁付き継ぎ手１６に、その接続部５４に嵌合して接続する。この接続状態を図５に示す。
【００４５】
この接続により、図５に示すように充填機側カップリング１５に備えられたバルブステム７４のプッシュロッド７４ａの先端が、逆止弁付き継ぎ手１６の第１逆止弁２７のバルブステム２８に当接し、これら両バルブステム２８，７４の相互の押し合いにより両バルブステム２８，７４が開弁方向に移動する。これにより、パッキン２９がバルブシート２２から離間し、パッキン７５がバルブシート６９から離間して、第１逆止弁２７と逆止弁７３が開弁する。
【００４６】
この接続状態で、図１０に示す充填機側手動バルブ６１を開作動し、流体充填機５６のポンプ５８を起動して貯留槽５５内の流体を加圧して配管５７を通じて充填機側カップリング１５へ供給すると、加圧流体は前記のように開弁された逆止弁７３と第１逆止弁２７を通り、逆止弁付き継ぎ手１６内の流路２１内に流入する。流路２１内に加圧流体が流入すると、その加圧流体の圧力により第２逆止弁３９のバルブステム４０がスプリング４３の付勢力に抗して開弁方向移動し、パッキン４１が第２バルブシート２３から離間して第２逆止弁３９が開弁する。この開弁により加圧流体は流路３５を通じて容器側充填バルブ４内に流入し、更に充填パイプ２、過充填防止装置６を通じて容器１内に充填される。
【００４７】
前記のように加圧流体が容器１内に充填され、その充填量が規定量に達すると、図１に示すフロートＦの浮上によって過充填防止装置６の過充填防止弁６ａが閉作動し、加圧流体の充填が停止する。
【００４８】
前記容器１内への加圧流体の充填が終了して流体の流れが止まると、図７に示すように、第２逆止弁３９がスプリング４３の付勢力により閉弁する。充填された後には、容器側充填バルブ４を閉弁し、充填機側手動バルブ６１を閉弁して、前記充填側カップリング１５を逆止弁付き継ぎ手１６から外す。この充填機側カップリング１５を外すと、第１逆止弁２７が閉弁する。
【００４９】
次に手動圧抜き作業について説明する。
この手動圧抜き作業の際には、図１０に示すように、前記の充填機側カップリング１５とは別の開放用カップリング８０を用いる。この開放用カップリング８０は前記の充填側カップリング１５の構造と同一構造である。そのため、図８に示す開放用カップリング８０において、前記充填側カップリング１５と同一部材に前記と同一符号を付してその説明は省略する。
【００５０】
この開放用カップリング８０は、流体の貯留槽５５の気相部５５ａに連通する経路８１に設けられ、その途中に手動開閉弁８２が設けられている。また、破線で示すように、経路８１から分岐した大気開放経路８３を設け、これに手動開閉弁８４を設けてもよい。
【００５１】
容器１内の圧力を抜く場合、例えば容器１内のＬＰＧのガス圧を抜く場合には、図８に示すように前記開放用カップリング８０を前記逆止弁付き継ぎ手１６の接続部５４に接続する。
【００５２】
この接続により、前記と同様に、開放用カップリング８０の逆止弁７３と逆止弁付き継ぎ手１６の第１逆止弁２７が図８に示すように開弁する。
【００５３】
この接続後、容器側充填バルブ４と経路８１の手動開閉弁８２を開く。そして、逆止弁付き継ぎ手１６における開弁手段であるグリップ４５を手動により、図６の状態から周方向に回転して図９に示すように、係止穴５２の入口穴５２ａをフック５１に合致させ、この状態でグリップ４５をスプリング４８の付勢力に抗して図８及び図９に示すように上流側へ引っ張り移動させる。すなわち、プル操作とする。
【００５４】
このグリップ４５の移動により、これと一体的に連結された上流側本体１７が、図８に示すように下流側本体１８に対して離れる方向に移動し、上流側本体１７に一体的に設けられた第２バルブシート２３が下流側本体１８に設けられた第２逆止弁３９より離れる方向に移動する。このとき、第２逆止弁３９のバルブステム４０に設けられた移動量規制手段４４が第２バルブガイド３６に当たって第２逆止弁３９の閉方向への移動量が少なく規制されるため、第２バルブシート２３がパッキン４１から離間し、第２逆止弁３９は開状態になる。
【００５５】
この第２逆止弁３９の開放により全ての逆止弁が開放され、容器１内の圧力（例えばＬＰＧのガス圧）は、過充填防止装置６、充填パイプ２、容器側充填バルブ４、逆止弁付き継ぎ手１６における流路３５、第２逆止弁３９、第１逆止弁２７、開放用カップリング８０の逆止弁７３、経路８１を流通して貯留槽５５の気相部５５ａ内に抜かれる。
【００５６】
なお、圧力を大気へ放出する場合には、手動開閉弁８２を閉じ、手動開閉弁８４を開放して大気開放経路８３から大気へ放出する。
【００５７】
圧力を抜いた後、グリップ４５をスプリング４８の付勢力により下流側へ移動し、その後、前記と逆の方向へ回転してフック５１を穴５２ｂに嵌合する。これにより、グリップ４５が図６の状態に復帰して、第２逆止弁３９が図４に示す閉弁状態に復帰されるとともにその復帰位置が位置保持手段Ｓにより保持される。
【００５８】
そして、図１０に示す手動開閉弁８２，８４を閉弁した後、開放用カップリング８０を逆止弁付き継ぎ手１６より外す。この開放用カップリング８０が外されると、逆止弁付き継ぎ手１６における第１逆止弁２７は閉弁状態に復帰する。
【００５９】
以上により手動開放作業による容器１内の圧力抜きが終了する。
なお、請求項６記載の発明と実施例１との関係において、第１分割体とは上流側本体（一方の分割体）１７に相当し、第２分割体とは下流側本体（他方の分割体）１８に相当し、逆止弁とは第２逆止弁３９に相当し、バルブシートとは第２バルブシート２３に相当し、所定の相対位置とは、移動量規制手段４４が第２バルブガイド３６に当って第２逆止弁３９の閉方向への移動量の規制が開始される位置に相当する。
【実施例２】
【００６０】
図１１乃至図１７は第２実施例で、カップリング式で、かつ、プッシュ式の逆止弁付き継ぎ手を示す。
【００６１】
本第２実施例の逆止弁継ぎ手１６Ａは、前記第１実施例における上流側本体（ニップル）１７と同様の一方の分割体である上流側本体１７Ａを有する。該上流側本体１７Ａには前記第１実施例における上流側本体１７のバルブシート形成部材２３ａは設けられていない。更に該上流側本体１７Ａ内には前記第１実施例と同様の第１逆止弁２７が設けられている。この上流側本体１７Ａにおいて、その他の構造は前記第１実施例の上流側本体１７と同様であるため、前記と同一部材には前記と同一の符号を付してその説明は省略する。
【００６２】
なお、第１逆止弁２７のバルブステム２８は下流側に長く形成されてプッシュロッド２８ａを形成している。
【００６３】
他方の分割体である下流側本体（アダプタ）１８Ａの内部には流路３５を有し、外部には鍔９０が形成されている。該下流側本体１８Ａの上流側には円筒状のガイド９１が螺着固定され、該ガイド９１も下流側本体１８Ａとともに他方の分割体を構成している。該ガイド９１の上流側内面には縮径してなる第２バルブシート２３が形成されている。更に、ガイド９１内の流路９１ａには、第２バルブシート２３に接離する第２逆止弁３９が設けられており、該第２逆止弁３９は前記第１実施例の第２逆止弁３９と同様であるため、前記と同一部分には前記と同一符号を付してその説明は省略する。
【００６４】
前記上流側本体１７Ａの第１嵌合部３２はガイド９１の外周、すなわち他方の分割体の外周に摺動可能に嵌合され、Ｏリング３４でシールされている。したがって、上流側本体１７Ａである一方の分割体は他方の分割体に対して回転することなく前後方向に移動できるようになっている。
【００６５】
前記ガイド９１の外周、すなわち、他方の分割体の外周には環状のグリップ４５Ａが摺動可能に設けられ、その上流端部が前記上流側本体１７Ａの嵌合部３２の外周に螺着連結されており、グリップ４５Ａと上流側本体１７Ａが一体に前後方向に移動するようになっている。
【００６６】
ガイド９１の外周にはスプリング４８Ａが備えられており、該スプリング４８Ａをガイド９１の外周面に形成した突起９２と上流側本体１７Ａ間に介在して上流側本体１７Ａとともにグリップ４５Ａを常時上流側へ付勢している。グリップ４５Ａの下流側端の内面には突起９３が形成されており、該突起９３が突起９２に当たることによりグリップ４５Ａとともに上流側本体１７Ａの上流側への移動を規制している。
【００６７】
前記下流側本体１８Ａに形成した鍔９０と前記グリップ４５Ａの下流側端面間にはストッパー９４が介在されている。該ストッパー９４は図１４及び図１７に示すようにＵ字状に形成され、その開口部側からガイド９１の外面に嵌合するようになっている。そして、嵌合後に、挿通孔９５，９６にピン９７を挿通してストッパー９４の嵌合設置状態を保持するようになっている。これらストッパー９４などにより位置保持手段Ｓを構成している。
【００６８】
なお、前記ストッパー９４の軸方向の幅Ｌ１は、図１５に示すように第１逆止弁２７が開弁した状態においてもそのプッシュロッド２８ａが第２逆止弁３９を押し開かない位置にグリップ４５Ａとともに上流側本体１７Ａを上流側へ移動して保持できる幅に設定されている。
【００６９】
前記上流側本体１７Ａ、プッシュロッド２８ａ、グリップ４５Ａにより開弁手段を構成している。
【００７０】
なお、図１１に示す容器側充填バルブ４、及び図１１、図１３及び図１５に示す充填機側カップリング１５、更に図１６に示す開放用カップリング８０は前記第１実施例と同一のものであるため、前記と同一部分には前記と同一符号を付してその説明を省略する。
【００７１】
本第２実施例の逆止弁付き継ぎ手１６Ａを前記第１実施例と同様に容器側充填バルブ４に接続した状態において、容器１内に加圧流体を充填する際には、容器側充填バルブ４を開状態にし、充填機側カップリング１５を逆止弁付き継ぎ手１６Ａの接続部５４に嵌合して接続する。この状態を図１３に示す。
【００７２】
この接続により、前記第１実施例と同様に逆止弁付き継ぎ手１６Ａの第１逆止弁２７と充填機側カップリング１５の逆止弁７３が開弁される。この開弁状態において前記と同様にポンプ５８により充填機側から加圧流体が逆止弁付き継ぎ手１６Ａ内に流入されると、この加圧流体の圧力により第２逆止弁３９が図１３に示すように開弁し、加圧流体は前記第１実施例と同様に容器１内に充填される。
【００７３】
前記容器１内への加圧流体の充填が終了して流体の流れが止まると、第２逆止弁３９はスプリング４３の付勢力により図１５に示すように閉弁する。充填後は、容器側充填バルブ４を閉弁し、充填機側手動バルブ６１を閉弁して前記充填機側カップリング１５を逆止弁付き継ぎ手１６Ａから外す。この充填機側カップリング１５を外すと、第１逆止弁２７は閉弁する。
【００７４】
次に圧抜き作業について説明する。
この圧抜き作業の際には、前記第１実施例と同様に、充填機側カップリング１５と同一構造の開放用カップリング８０を図１６に示すように逆止弁付き継ぎ手１６Ａに接続する。この接続状態のときは図１５と同様の状態である。すなわち、開放用カップリング８０における逆止弁７３と逆止弁付き継ぎ手１６Ａの第１逆止弁２７が開弁するとともに、第１逆止弁２７におけるバルブステム２８のプッシュロッド２８ａの下流端が閉弁状態の第２逆止弁３９におけるバルブステム４０の上流端に近接する。
【００７５】
この接続後、前記と同様に容器側充填バルブ４と経路８１の手動開閉弁８２を開く。そして、ストッパー９４を、ピン９７を外した後に逆止弁付き継ぎ手１６Ａから抜き外す。
【００７６】
その後、図１６に示すように、開弁手段であるグリップ４５Ａをスプリング４８Ａの付勢力に抗して手動で下流側へ押し移動させる。このグリップ４５Ａの移動により上流側本体１７Ａ及び開放用カップリング８０が下流側、すなわち第２逆止弁３９側へ移動し、第１逆止弁２７におけるバルブステム２８のプッシュロッド２８ａが図１６に示すように第２逆止弁３９を押し開いて開弁させる。
【００７７】
これにより、全ての逆止弁２７，３９，７３が開弁し、容器１内の圧力（例えばＬＰＧのガス圧）は開放用カップリング８０より前記図１０に示す経路８１を通じて、前記のように貯留槽５５の気相部５５ａへ抜かれるか又は大気へ放出される。
【００７８】
圧力を抜いた後、グリップ４５Ａをスプリング４８Ａの付勢力により上流側へ復帰させるとともにストッパー９４を前記のようにグリップ４５Ａと鍔９０の間に嵌合するとともにピン９７をストッパー９４に挿通し、グリップ４５Ａの通常の位置を保持する。
【００７９】
以上により、手動開放作業による容器１内の圧力抜きが終了する。
なお、請求項６記載の発明と実施例２との関係において、第１分割体とは下流側本体（他方の分割体）１８Ａに相当し、第２分割体とは上流側本体（一方の分割体）１７Ａに相当し、逆止弁とは第２逆止弁３９に相当し、バルブシートとは第２バルブシート２３に相当し、所定の相対位置とは、プッシュロッド２８ａが第２逆止弁３９に当って第２逆止弁３９の開弁が開始される位置に相当する。
【実施例３】
【００８０】
図１８乃至図２４は第３実施例で、アダプタ式で、かつプル式の逆止弁付き継ぎ手を示す。
【００８１】
本第３実施例は、逆止弁付き継ぎ手に充填用ホースを接続して常備し、この充填用ホースを充填機に接続する方式に採用したもので、前記図３乃至図９に示す第１実施例における上流側本体１７（ニップル）をアダプタ式の上流側本体１７Ｂに替えたものである。
【００８２】
すなわち、一方の分割体である上流側本体１７Ｂに流路２１を貫通形成し、接続部５４の外周に雄ねじ１００を刻設し、流路２１の下流側端にバルブシート１０１を形成している。
【００８３】
前記第１実施例における前記第１逆止弁２７は設けられておらず、前記下流側本体１８に設けられた第２逆止弁３９が本第３実施例における前記バルブシート１０１に接離するようになっている。したがって、本第３実施例では１個の逆止弁３９で構成されている。この逆止弁３９は前記第１実施例の第２逆止弁３９と同一構造である。
【００８４】
また、本第３実施例においては、前記第１実施例の充填機側カップリング１５に替えて結合ナット１０２を用い、該結合ナット１０２に管１０３を介して充填ホース１０４が備えられている。該結合ナット１０２内には雌ねじ１０５が刻設され、該雌ねじ１０５を前記逆止弁付き継ぎ手１６Ｂの接続部５４の雄ねじ１００に螺着して、結合ナット１０２を接続部５４に接続するようになっている。
【００８５】
更に、前記充填ホース１０４の他端には図２５に示すようにカップリング１０６が備えられており、該カップリング１０６を充填機５６側のカップリング１０７に分離可能に接続するようになっている。該両カップリング１０６，１０７は、これらの接合により流路が形成され、分離により流路が閉塞されるようになっている。
【００８６】
前記結合ナット１０２、管１０３、充填ホース１０４、カップリング１０６の全体で自動車側充填ホース配管を構成している。
【００８７】
前記の逆止弁付き継ぎ手１６Ｂは、前記第１実施例と同様に容器側充填バルブ４に具備され、充填ホース１０４は逆止弁付き継ぎ手１６Ｂに連結されて常備されている。
【００８８】
その他の構造は前記第１実施例と同様の構造であるため、前記と同一部分には前記と同一符号を付してその説明を省略する。
【００８９】
したがって、本第３実施例においても上流側本体１７Ｂとグリップ４５が開弁手段を構成している。
【００９０】
本第３実施例において加圧流体を容器１に充填する際には、充填ホース１０４における他端側のカップリング１０６を充填機側カップリング１０７に図２５に示すように接続する。この接続により両カップリング１０６，１０７間が連通し、ポンプ５８を起動すると、加圧流体は充填ホース１０４を通じて逆止弁付き継ぎ手１６Ｂ内に流入し、その流体の圧力により逆止弁３９が図２０に示すように開弁し、前記第１実施例と同様に容器１内に充填される。
【００９１】
容器１内への加圧流体の充填が終了して流体の流れが止まると、図２２に示すように、逆止弁３９はスプリング４３の付勢力により閉弁する。充填後は、容器側充填バルブ４を閉弁し、図２５に示す充填機側手動バルブ６１を閉弁し、充填ホース１０４における他端側のカップリング１０６を充填機側カップリング１０７から外す。
【００９２】
次に圧抜き作業について説明する。
この圧抜き作業の際には、充填ホース１０４の他端側のカップリング１０６を図２５の鎖線に示すように、開放用の経路８１に設けた開放用カップリング１０８に接続する。この両カップリング１０６，１０８の接続により、該両カップリング１０６，１０８の流路が連通するようになっている。また、この接続後、容器側充填バルブ４と経路８１の手動開閉弁８２を開く。手動開閉弁８４は閉状態にある。そして、前記第１実施例と同様に、ストッパー５０のフック５１を外し、逆止弁付き継ぎ手１６Ｂの開弁手段であるグリップ４５を前記第１実施例と同様に、図２３に示すように上流側へ手動で引き移動する。これにより、前記第１実施例と同様に上流側本体１７Ｂが上流側へ移動し、図２３に示すように、上流側本体１７Ｂのバルブシート１０１が逆止弁３９から離れる方向に移動する。このとき、第２逆止弁３９のバルブステム４０に設けられた移動量規制手段４４が第２バルブガイド３６に当たって逆止弁３９の閉方向への移動量が少なく規制されるため、逆止弁３９がバルブシート１０１から離間し開状態になる。
【００９３】
この逆止弁３９の開放により、容器１内の圧力は、容器側充填バルブ４、逆止弁付き継ぎ手１６Ｂ，充填ホース１０４、カップリング１０６及び１０８を通じて貯留槽５５の気相部５５ａ内に抜かれる。
【００９４】
なお、圧力を大気へ放出する場合には、手動開閉弁８２を閉じ、手動開閉弁８４を開放して大気用放射経路８３から大気へ放出する。
【００９５】
圧力を抜いた後、グリップ４５をスプリング４８の付勢力により下流側へ移動して逆止弁３９を閉弁状態にし、前記第１実施例と同様にストッパー５０のフック５１により閉弁状態を保持する。
【００９６】
以上により手動開放作業による容器１内の圧力抜きが終了する。
なお、請求項６記載の発明と実施例３との関係において、第１分割体とは上流側本体（一方の分割体）１７Ｂに相当し、第２分割体とは下流側本体（他方の分割体）１８に相当し、逆止弁とは第２逆止弁３９に相当し、バルブシートとはバルブシート１０１に相当し、所定の相対位置とは、移動量規制手段４４が第２バルブガイド３６に当って第２逆止弁３９の閉方向への移動量の規制が開始される位置に相当する。
【実施例４】
【００９７】
図２６乃至図３２は第４実施例で、アダプタ式で、かつ、プッシュ式の逆止弁付き継ぎ手を示す。
【００９８】
本第４実施例の逆止弁付き継ぎ手１６Ｃは、前記第３実施例と同様に、逆止弁付き継ぎ手に充填用ホースを接続して常備し、この充填用ホースを充填機に接続する方式に採用したもので、前記図１１乃至図１７に示す第２実施例における上流側本体（ニップル）をアダプタ式の上流側本体１７Ｃに変えたものである。
【００９９】
すなわち、一方の分割体である上流側本体１７Ｃに流路２１を貫通形成し、接続部５４の外周に雄ねじ１００を刻設し、流路２１内にプッシュロッド２００を固設している。前記第２実施例における第１逆止弁２７は設けられておらず、他方の分割体である下流側本体１８Ａに設けられた第２逆止弁３９を本第４実施例における前記プッシュロッド２００によって押し開くようになっている。このプッシュロッド２００の突出長は、図２７の常態時には、逆止弁３９がバルブシート２３に当接して閉弁でき、この状態から上流側本体１７Ｃとともにプッシュロッド２００を下流側へ移動することにより、該プッシュロッド２００により逆止弁３９を開弁できるように設定されている。
【０１００】
また、前記第２実施例における充填機側カップリング１５の替わりに本第４実施例では前記第３実施例と同様の結合ナット１０２と充填ホース１０４を用いている。
【０１０１】
本第４実施例における容器側充填バルブ４と逆止弁付き継ぎ手１６Ｃのその他の構造は前記第２実施例と同様であるため、同一部分には同一符号を付してその説明を省略する。
【０１０２】
したがって、本第４実施例においても上流側本体１７Ｃとグリップ４５Ａが開弁手段を構成している。
【０１０３】
なお、本第４実施例においても前記第３実施例と同様に、逆止弁付き継ぎ手１６Ｃは容器側充填バルブ４に具備され、充填ホース１０４は逆止弁付き継ぎ手１６Ｃに常備されている。
【０１０４】
また、本第４実施例における充填用ホース１０４の他端を接続する充填側経路と圧抜き経路は前記図２５と同様である。
【０１０５】
本第４実施例において、加圧流体を容器１に充填する際には、充填ホース１０４における他端側のカップリング１０６を図２５に示すように充填機側のカップリング１０７に接続する。この接続により両カップリング１０６，１０７間が連通し、ポンプ５８を起動すると、加圧流体は充填ホース１０４を通じて逆止弁付き継ぎ手１６Ｃ内に流入し、その流体圧力により逆止弁３９が図２８に示すように開弁し、前記第３実施例と同様に容器１内に充填される。
【０１０６】
容器１内への加圧流体の充填が終了して流体の流れが止まると、図３０に示すように、逆止弁３９はスプリング４３の付勢力により閉弁する。充填後は、容器側充填バルブ４を閉弁し、図２５に示す充填機側手動バルブ６１を閉弁し、充填ホース１０４における他端側のカップリング１０６を充填機側のカップリング１０７から外す。
【０１０７】
次に圧抜き作業について説明する。
この圧抜き作業の際には、充填ホース１０４の他端側のカップリング１０６を図２５の鎖線に示すように開放側の経路８１に設けた開放用カップリング１０８に接続する。この両開放用カップリング１０６，１０８の接続により、該両カップリング１０６，１０８の流路が連通するようになっている。
【０１０８】
この接続後、容器側充填バルブ４と経路８１の手動開閉弁８２を開く。手動開閉バルブ８４は閉状態にある。そして、前記第２実施例と同様にストッパー９４を外し、逆止弁付き継ぎ手１６Ｃの開弁手段であるグリップ４５Ａを前記第２実施例と同様に図３１に示すように下流側へ手動で押し移動する。これにより、前記第２実施例と同様に上流側本体１７Ｃが下流側へ移動し、図３１に示すように、上流側本体１７Ｃに固設されたプッシュロッド２００が逆止弁３９を下流側へ押し移動し、逆止弁３９がバルブシート２３から離間して開弁する。
【０１０９】
この逆止弁３９の開放により、容器１内の圧力は前記第３実施例と同様に、容器側充填バルブ４、逆止弁付き継ぎ手１６Ｃ、充填ホース１０４、カップリング１０６及び１０８を通じて貯留槽５５の気相部５５ａ内に抜かれる。
【０１１０】
なお、圧力を大気へ放出する場合には、手動開閉弁８２を閉じ、手動開閉弁８４を開放して大気開放経路８３から大気へ放出する。
【０１１１】
圧力を抜いた後、グリップ４５Ａをスプリング４８Ａの付勢力により上流側へ復帰させるとともにストッパー９４を前記のように嵌合するとともにピン９７をストッパー９４に挿通し、グリップ４５Ａの通常の位置を保持する。
【０１１２】
以上により、手動開放作業による容器内の圧力抜きが終了する。
なお、請求項６記載の発明と実施例４との関係において、第１分割体とは、下流側本体（他方の分割体）１８Ａに相当し、第２分割体とは、上流側本体（一方の分割体）１７Ｃに相当し、逆止弁とは逆止弁３９に相当し、バルブシートとはバルブシート２３に相当し、所定の相対位置とは、プッシュロッド２００が逆止弁３９に当って逆止弁３９の開弁が開始される位置に相当する。
【０１１３】
以上は、本発明の逆止弁付き継ぎ手を、自動車に搭載されたＬＰＧ用の容器と、ＬＰＧ燃料充填機との間のＬＰＧ充填経路に適用した例であるが、本発明の逆止弁付き継ぎ手は、ＬＰＧ以外のエアや水等の種々な気体や液体の流体を加圧して供給する経路に適用することができるものである。
【符号の説明】
【０１１４】
１６，１６Ａ，１６Ｂ，１６Ｃ  逆止弁付き継ぎ手
１７，１７Ａ，１７Ｂ，１７Ｃ  開弁手段である一方の分割体
１８，１８Ａ  他方の分割体
２２，２３，１０１  バルブシート
２７，３９  逆止弁
４３  スプリング
４５，４５Ａ  開弁手段であるグリップ
２８ａ，２００  プッシュロッド
４４  移動量規制手段
Ｓ  位置保持手段
【図１】
2011089643.tif 000003
【図２】
2011089643.tif 000004
【図３】
2011089643.tif 000005
【図４】
2011089643.tif 000006
【図５】
2011089643.tif 000007
【図６】
2011089643.tif 000008
【図７】
2011089643.tif 000009
【図８】
2011089643.tif 000010
【図９】
2011089643.tif 000011
【図１０】
2011089643.tif 000012
【図１１】
2011089643.tif 000013
【図１２】
2011089643.tif 000014
【図１３】
2011089643.tif 000015
【図１４】
2011089643.tif 000016
【図１５】
2011089643.tif 000017
【図１６】
2011089643.tif 000018
【図１７】
2011089643.tif 000019
【図１８】
2011089643.tif 000020
【図１９】
2011089643.tif 000021
【図２０】
2011089643.tif 000022
【図２１】
2011089643.tif 000023
【図２２】
2011089643.tif 000024
【図２３】
2011089643.tif 000025
【図２４】
2011089643.tif 000026
【図２５】
2011089643.tif 000027
【図２６】
2011089643.tif 000028
【図２７】
2011089643.tif 000029
【図２８】
2011089643.tif 000030
【図２９】
2011089643.tif 000031
【図３０】
2011089643.tif 000032
【図３１】
2011089643.tif 000033
【図３２】
2011089643.tif 000034